(57)【要約】【課題】内視鏡の較正にかかる使用者の手間を低減する内視鏡システムを提供する。【解決手段】常時もしくは、内視鏡の先端撮影部を被検体に挿入して撮影を行なっている間に、内視鏡の撮像素子が撮影した画像を取得し、この画像に高域通過フィルタを掛けて検出した高周波成分のデータを用いて、感度ムラ補正パラメータを生成して記憶手段に供給し、記憶手段が、この供給された感度ムラ補正パラメータを記憶することにより、前記課題を解決する。【選択図】図４
2012075545.tif 000002
【特許請求の範囲】
【請求項１】
固体撮像素子によって撮影を行う内視鏡と、
記憶手段に記憶している感度ムラ補正パラメータを用いて、前記内視鏡の撮像素子が撮影した画像の感度ムラ補正を行う感度ムラ補正手段と、
前記感度ムラ補正パラメータを生成する演算手段と、
前記内視鏡、補正手段および演算手段を制御する制御手段とを有し、
前記制御手段による制御により、前記演算手段は、常時もしくは、前記内視鏡の先端撮影部を被検体に挿入して撮影を行なっている間に、前記内視鏡の撮像素子が撮影した画像を取得し、この画像に高域通過フィルタを掛けて検出した高周波成分のデータを用いて、前記感度ムラ補正パラメータを生成して前記記憶手段に供給し、前記記憶手段が、この供給された感度ムラ補正パラメータを記憶することを特徴とする内視鏡システム。
【請求項２】
前記演算手段は、前記画像に高域通過フィルタを掛けて検出した高周波成分のデータの逆数を、画素毎に取り、これを規格化することでパラメータを生成する請求項１に記載の内視鏡システム。
【請求項３】
前記演算手段は、前記画像に低域通過フィルタを掛けたデータを用いて規格化を行なう請求項２に記載の内視鏡システム。
【請求項４】
前記演算手段は、直前に前記記憶手段に記憶されている感度ムラ補正パラメータと、前記画像に高域通過フィルタを掛けて検出した高周波成分のデータから生成したパラメータとから前記感度ムラ補正パラメータを算出する請求項１〜３のいずれかに記載の内視鏡システム。
【請求項５】
固体撮像素子によって撮影を行う内視鏡と、
記憶手段に記憶している補正パラメータを用いて、前記内視鏡の撮像素子が撮影した画像の補正を行う補正手段と、
前記補正パラメータを生成する演算手段と、
前記内視鏡、補正手段および演算手段を制御する制御手段とを有する内視鏡システムにおける内視鏡の較正方法であって、
前記制御手段による制御により、常時もしくは、前記内視鏡の先端撮影部を被検体に挿入して撮影を行なっている間に、前記内視鏡の撮像素子が撮影した画像を取得し、この画像に高域通過フィルタを掛けて検出した高周波成分のデータを用いて、前記感度ムラ補正パラメータを生成して前記記憶手段に供給し、前記記憶手段が、この供給された感度ムラ補正パラメータを記憶することを特徴とする内視鏡の較正方法。
【請求項６】
前記演算手段は、前記画像に高域通過フィルタを掛けて検出した高周波成分のデータの逆数を、画素毎に取り、これを規格化することでパラメータを生成する請求項５に記載の内視鏡の較正方法。
【請求項７】
前記演算手段は、前記画像に低域通過フィルタを掛けたデータを用いて規格化を行なう請求項６に記載の内視鏡の較正方法。
【請求項８】
前記演算手段は、直前に前記記憶手段に記憶されている感度ムラ補正パラメータと、前記画像に高域通過フィルタを掛けて検出した高周波成分のデータから生成したパラメータとから前記感度ムラ補正パラメータを算出する請求項５〜７のいずれかに記載の内視鏡の較正方法。
【発明の詳細な説明】
【技術分野】
【０００１】
本発明は、主に医療用の用途に用いられる内視鏡システムに関し、詳しくは、適正な画像を出力するための内視鏡の較正にかかる使用者の手間を、低減することができる内視鏡システムおよび内視鏡の較正方法に関する。
【背景技術】
【０００２】
生体に病変部が有るか、どの程度、病変部が進行しているかの診断などに、内視鏡（電子内視鏡）が使用されている。
内視鏡では、生体の一部に光を照射して、反射してくる光をＣＣＤセンサ等の（固体）撮像素子して、撮影した画像をディスプレイに表示することにより、生体表面の色、明るさ、構造等の変化を観察し、その観察によって医師が病変部の状態を判断している。
【０００３】
周知のように、画像を撮影する撮像素子は、画像を撮影する画素（光量の測定点）を二次元的に配列してなるものである。
ここで、撮像素子の各画素は、完全に均一な特性を有するものではなく、例えば、画素毎に、感度のバラツキ（感度ムラ）等を有する。
【０００４】
このような撮像素子の特性のバラツキ（個体バラツキ）を有する状態で画像を撮影しても、適正な画像を得ることは困難である。特に、医療用の用途に用いられる内視鏡では、不適正な画像での診断は、診断ミス等にも繋がる重大な問題となる。
そのため、特許文献１や特許文献２に示されるように、内視鏡では、撮像素子で撮影した画像に、感度ムラ補正を行って、個々の画素の個体バラツキ等に起因する画質劣化の無い、適正な画像を出力できるようにしている。
【先行技術文献】
【特許文献】
【０００５】
【特許文献１】特開２００５−２１１２３１号公報
【特許文献２】特公平７−６３４４７号公報
【発明の概要】
【発明が解決しようとする課題】
【０００６】
特許文献１や特許文献２にも記載されるように、感度ムラ補正は、一例として、予め各画素ごとに補正用のパラメータ（補正パラメータ）を算出して記憶しておき、撮影した画像に対して、各画素毎に、この補正パラメータを用いて画像データを補正することによって行う。
【０００７】
このような感度ムラの補正パラメータの算出は、一般的に、白い被写体など、全面的に均一な濃度を有する被写体を撮影して、この画像を解析することによって行う。
【０００８】
ところが、画素毎の感度ムラは、内視鏡に用いられる撮像素子の個体バラツキは、経時によって変化する。
そのため、安定して適正な内視鏡画像を撮影するためには、定期的に、補正パラメータの再算出など、いわゆる内視鏡の較正を行う必要がある。特に、精度を要求される内視鏡では、使用前に、毎回、較正が必要となる場合も有る。
【０００９】
前述のように、較正すなわち補正パラメータの再算出は、白い被写体等を撮影して、その画像を解析することによって行われる。
そのため、較正には手間がかかり、使用者の負担を増加する一因となっている。
【００１０】
本発明の目的は、前記従来技術の問題点を解決することにあり、較正に掛かる使用者の負担を低減して、作業性や使い勝手を向上した内視鏡システムおよび内視鏡の較正方法を提供することにある。
【課題を解決するための手段】
【００１１】
前記目的を達成するために、本発明は、固体撮像素子によって撮影を行う内視鏡と、記憶手段に記憶している感度ムラ補正パラメータを用いて、前記内視鏡の撮像素子が撮影した画像の感度ムラ補正を行う感度ムラ補正手段と、前記感度ムラ補正パラメータを生成する演算手段と、前記内視鏡、補正手段および演算手段を制御する制御手段とを有し、前記制御手段による制御により、前記演算手段は、常時もしくは、前記内視鏡の先端撮影部を被検体に挿入して撮影を行なっている間に、前記内視鏡の撮像素子が撮影した画像を取得し、この画像に高域通過フィルタを掛けて検出した高周波成分のデータを用いて、前記感度ムラ補正パラメータを生成して前記記憶手段に供給し、前記記憶手段が、この供給された感度ムラ補正パラメータを記憶することを特徴とする内視鏡システムを提供する。
【００１２】
このような本発明の内視鏡システムにおいて、前記演算手段は、前記画像に高域通過フィルタを掛けて検出した高周波成分のデータの逆数を、画素毎に取り、これを規格化することでパラメータを生成する。
また、前記演算手段は、前記画像に低域通過フィルタを掛けたデータを用いて規格化を行なう。
また、前記演算手段は、直前に前記記憶手段に記憶されている感度ムラ補正パラメータと、前記画像に高域通過フィルタを掛けて検出した高周波成分のデータから生成したパラメータとから前記感度ムラ補正パラメータを算出する。
【００１３】
また、前記目的を達成するために、本発明は、固体撮像素子によって撮影を行う内視鏡と、記憶手段に記憶している補正パラメータを用いて、前記内視鏡の撮像素子が撮影した画像の補正を行う補正手段と、前記補正パラメータを生成する演算手段と、前記内視鏡、補正手段および演算手段を制御する制御手段とを有する内視鏡システムにおける内視鏡の較正方法であって、前記制御手段による制御により、常時もしくは、前記内視鏡の先端撮影部を被検体に挿入して撮影を行なっている間に、前記内視鏡の撮像素子が撮影した画像を取得し、この画像に高域通過フィルタを掛けて検出した高周波成分のデータを用いて、前記感度ムラ補正パラメータを生成して前記記憶手段に供給し、前記記憶手段が、この供給された感度ムラ補正パラメータを記憶することを特徴とする内視鏡の較正方法を提供する。
【００１４】
ここで、前記演算手段は、前記画像に高域通過フィルタを掛けて検出した高周波成分のデータの逆数を、画素毎に取り、これを規格化することでパラメータを生成する。
また、前記演算手段は、前記画像に低域通過フィルタを掛けたデータを用いて規格化を行なう。
また、前記演算手段は、直前に前記記憶手段に記憶されている感度ムラ補正パラメータと、前記画像に高域通過フィルタを掛けて検出した高周波成分のデータから生成したパラメータとから前記感度ムラ補正パラメータを算出する。
【発明の効果】
【００１５】
上記構成を有する本発明の内視鏡システムおよび内視鏡の較正方法によれば、常時もしくは、内視鏡を患者（被写体）の体内に挿入して撮影を行なっている間、補正パラメータの再算出を自動的に行うので（挿入中に内視鏡の自動調整を行うので）、使用者の負担、内視鏡を使用するための工程数を減らすことができると共に、較正が行われた内視鏡によって、適正な診断画像を撮影することができる。
【図面の簡単な説明】
【００１６】
【図１】本発明の内視鏡システムの一例を概念的に示す図である。
【図２】図１に示す内視鏡システムに用いられる内視鏡の一部を概念的に示すブロック図である。
【図３】図１に示す内視鏡システムの作用の説明するためのブロック図である。
【図４】図１に示す内視鏡システムの作用の説明するためのフローチャートである。
【発明を実施するための形態】
【００１７】
以下、本発明の内視鏡システムおよび内視鏡の較正方法について、添付の図面に示される好適実施例を基に、詳細に説明する。
【００１８】
図１に、本発明の内視鏡システムの一例を概念的に示す。
本発明の内視鏡システム１０は、基本的に、内視鏡１２と、内視鏡１２が撮影した画像の処理等を行うプロセッサ装置１６とを有して構成される。
また、図１の内視鏡システム１０は、さらに、内視鏡１２によって観察を行なうための照明光を照射する光源装置３８、各種の入力指示等を入力する入力装置４０、および、内視鏡が撮影した画像の表示等を行なう表示装置４２を有する。
【００１９】
入力装置４０は、撮影メニュー、撮影条件などを設定し、被検体の撮像を指示する部位である。入力装置４０には、撮影メニュー、撮影条件などを設定するための入力キーや、撮影の指示手段が設けられる。
ここで、本発明に係る内視鏡システムにおいては、常時もしくは、内視鏡の挿入中に、感度ムラ補正パラメータの更新（内視鏡の較正）を行なうものであり、入力装置４０は、内視鏡の較正開始の指示を入力するためのものである。
入力装置４０は、入力された指示に基づいて、指示信号を制御部８０に供給する。
【００２０】
内視鏡１２は、図１に概念的に示すように、通常の内視鏡と同様、挿入部１８と、操作部２０と、ユニバーサルコード２４と、コネクタ２６と、ビデオコネクタ部２８とを有するものである。また、通常の内視鏡と同様、挿入部１８は、基端側の長尺な軟性部３０と、撮像素子４８等が配置される先端のスコープ部（内視鏡先端部）３４と、軟性部３０とスコープ部３４との間の湾曲部（アングル部）３２とを有し、さらに、操作部２０には、湾曲部３２を湾曲させる、操作ノブ２０ａが設けられる。
【００２１】
図２にスコープ部３４およびビデオコネクタ部２８を概念的に示す。
図２に示すように、スコープ部３４には、撮像レンズ４６、（固体）撮像素子４８、照明用レンズ５６、および光ファイバ５８が配置される。
なお、撮像素子４８としては、例えば、ＣＣＤ固体撮像素子やＣＭＯＳ撮像素子が用いられるが、これに限定されるものではない。
また、図示は省略するが、スコープ部３４には、鉗子等の各種の処置具を挿通するための鉗子チャンネルおよび鉗子口、吸引、送気、送水等を行うための送気／送水チャンネルおよび送気／送水口等も設けられる。鉗子チャンネルは、湾曲部３２および軟性部３０を通って操作部２０に設けられる鉗子挿入口に連通し、送気／送水チャンネルは、湾曲部３２、軟性部３０、操作部２０、およびユニバーサルコード２４を通って、コネクタ２６の吸引手段、送気手段、送水手段との接続部に連通する。
【００２２】
光ファイバ５８は、湾曲部３２、軟性部３０、操作部２０、およびユニバーサルコード２４を通って、光源装置３８に接続されるコネクタ２６まで挿通されている。
光源装置３８が照射した照明光は、コネクタ２６から光ファイバ５８に入射して、光ファイバ５８によって伝搬されて、スコープ部３４において、光ファイバ５８の先端部から照明用レンズ５６に入射して、照明用レンズ５６によって観察部位に照射される。
【００２３】
照明光が照射された観察部位の画像は、撮像レンズ４６によって撮像素子４８の受光面に結像される。撮像素子４８の出力信号は、湾曲部３２、軟性部３０、操作部２０、ユニバーサルコード２４、およびコネクタ２６を挿通される信号線によって、ビデオコネクタ部２８の信号処理部５０に供給される。
【００２４】
ビデオコネクタ部２８は、プロセッサ装置１６の接続部１６ａに接続するためのコネクタ２８ａを有する。さらに、図示例の内視鏡１２においては、好ましい態様として、ビデオコネクタ部２８に、信号処理部５０、画像補正部５２、および、メモリ５４を有する画像補正手段６２が配置されており、画像補正手段６２において、撮像素子４８の出力信号に対して、所定の処理を行う。
【００２５】
すなわち、撮像素子４８から供給された出力信号は、信号処理部５０において、まず、増幅、Ａ／Ｄ変換等の所定の信号処理を行われ、次いで、画像補正部５２において、所定の画像補正が行なわれ、出力される。この画像補正部５２における画像補正は、メモリ５４に記憶される補正パラメータを用いて、行なわれる。
【００２６】
ここで、図示例の画像補正部５２は、感度ムラ補正を行なう感度ムラ補正部５２ａを有している。感度ムラ補正部５２ａは、メモリ５４に記憶される感度ムラ補正パラメータを用いて、撮影画像の感度ムラ補正を行なう。
感度ムラ補正部５２ａが行なう感度ムラ補正の方法には、特に限定はなく、種々の公知の感度ムラ補正の方法を利用することができる。
【００２７】
画像補正手段６２（画像補正部５２）から出力される出力信号（撮影した画像の画像データ）は、コネクタ２８ａを介して、プロセッサ装置１６に供給され、プロセッサ装置１６（画像処理部８４）において、各種の画像処理を施された後、表示装置４２に表示される。
また、内視鏡１２の較正を行なう際には、信号処理部５０から出力される信号処理済みの出力信号（画像データ）が、プロセッサ装置１６の演算部８２に供給される。
【００２８】
なお、内視鏡１２において、感度ムラ補正以外に、画像補正手段６２の画像補正部５２で施す、メモリ５４に記憶される補正パラメータを用いる画像補正には、特に限定はなく、各種の画像補正（画像処理）が例示される。
一例として、ホワイトバランス調整、欠陥画素補正、暗電流補正等が例示される。
これらの画像補正は、いずれも、予め生成してメモリ５４に記憶しておいた補正パラメータを用いて、画像データを処理する、公知の方法で行えばよい。
【００２９】
ここで、メモリ５４に記憶される補正パラメータのうち、感度ムラの補正に用いられる感度ムラ補正パラメータは、内視鏡１２のスコープ部３４（内視鏡先端部）を患者（被写体）の体内に挿入して撮影を行なって取得した画像を用いて演算された補正パラメータに、常時、書き換えられる（補正パラメータが較正される）。
この点に関しては、後に詳述する。
【００３０】
なお、本発明において、内視鏡１２は、照明光として通常の白色光を用いる通常観察のみを行うものであってもよく、通常観察と、照明光として狭帯域光や近赤外光を用いる観察や、偏光を利用する観察などの特殊光観察の１以上とを、切り換えて行うことができるものであってもよい。
【００３１】
内視鏡１２は、通常の観察時（診断時）には、ビデオコネクタ部２８のコネクタ２８ａをプロセッサ装置１６の接続部１６ａに、コネクタ２６を光源装置３８の接続部３８ａに、それぞれ接続して、使用される。
なお、コネクタ２６には、通常の内視鏡と同様、さらに、観察部位の吸引や送気を行なう吸引手段や送気手段、観察部位に水を噴射するための吸水手段等が接続される。
【００３２】
プロセッサ装置１６は、内視鏡１２が撮影した画像に所定の画像処理を行なって、表示装置４２に表示させるもので、制御部８０と、演算部８２と、画像処理部８４を有する。
制御部８０は、プロセッサ装置１６の制御を行なうと共に、内視鏡システム１０の全体の制御も行なうものである。演算部８２は、前述のメモリ５４に記憶される、画像補正部５２での画像補正に用いられるパラメータを生成するものである。画像処理部８４は、内視鏡１２が撮影した画像に、所定の画像処理を施すものである。
【００３３】
また、光源装置３８は、内視鏡１２による観察を行なうための照明光を照射する、公知の照明装置である。光源装置３８は、通常観察を行なうための白色光のみならず、特殊光観察を行なうための狭帯域光や近赤外光等を照射するものであってもよい。
光源装置３８は、内視鏡１２のコネクタ２６を接続するための接続部３８ａを有し、内視鏡１２のコネクタ２６から光ファイバ５８に入射する照明光を照射する。
【００３４】
以下、内視鏡システム１０の作用を説明すると共に、図３のブロック図および図４のフローチャートを参照して、内視鏡システム１０における内視鏡挿入中の作用について、より詳細に説明する。
【００３５】
内視鏡システム１０において、内視鏡１２のコネクタ２６を光源装置３８の接続部３８ａに接続し、内視鏡１２のコネクタ２８ａを、プロセッサ装置１６の接続部１６ａに接続すると、プロセッサ装置１６から内視鏡１２に駆動電力が供給（給電）される。
内視鏡１２に駆動電力が供給されると、内視鏡１２とプロセサ装置１６の制御部８０との通信が開始される。
【００３６】
撮影開始の指示が、入力装置４０からプロセッサ装置１６の制御部８０に入力される。そして、制御部８０により、内視鏡１２の画像補正手段６２および光源装置１４が制御される。
光源装置１４からは照明光が発せられる。
【００３７】
内視鏡１２では、光源装置１４から発せられた照明光が、光ファイバ５８により導光され、照明用レンズ５６を介して照明光が照射される。そして、照明光の反射光が撮像レンズ４６により集光され、撮像素子４８により光電変換されて撮像信号（アナログ信号）が出力される。
【００３８】
撮像素子４８が出力した撮像信号は、画像補正手段６２に供給され、所定の画像補正が施され、画像補正済みの画像信号が出力される。
画像補正手段６２は、画像補正済みの画像信号を、プロセッサ装置１６の画像処理部８４に供給する。
画像処理部８４は、供給された画像補正済みの画像信号に所定の画像処理を施し、制御部８０に供給する。制御部８０は、処理済の画像信号を表示装置４２に出力し、画像が表示装置４２上に表示される。
【００３９】
ここで、内視鏡システム１０において、被写体（患者）の体内の観察部位を観察するために、内視鏡１２の先端部（スコープ部３４）は、患者の皮膚に形成された入口や、口または鼻等の身体にある既存の進入路から、体内の観察部位まで挿入され、観察が行なわれる。
前述のとおり、本発明の内視鏡システムは、内視鏡を患者（被写体）の体内に挿入して撮影が行なわれている間、常時、撮像素子の感度ムラ補正パラメータの較正を行なうものである。
【００４０】
表示装置４２に画像が表示されると、医師により、患者（被写体）の体内への内視鏡１２の挿入が開始される。
ここで、内視鏡の挿入中に、入力装置４０から感度ムラ補正パラメータの較正の指示が制御部８０に入力される。
制御部８０は、表示装置４２に撮影画像を表示させつつ、演算部８２において、感度ムラ補正パラメータの生成が行なわれるように制御する。
【００４１】
図４のフローチャートを参照して、内視鏡システム１０における内視鏡挿入中に行なう感度ムラ補正パラメータの較正について、より詳細に説明する。
内視鏡システムにおいては、通常、６０枚／秒程度の画像を撮影し、動画として表示装置４２に表示する。演算部８２は、この撮影した各画像を、順次、取得して演算用画像として、画像補正部５２での感度ムラ補正に用いる補正パラメータを演算し、メモリ５４に記憶される感度ムラ補正パラメータを、常に更新し続ける。
なお、カラー撮影が可能な内視鏡システムの場合には、各色（ＲＧＢ）ごとに感度ムラ補正を行なうので、各色ごとに感度ムラ補正パラメータを求めればよい。
【００４２】
入力装置４０から内視鏡の較正の指示が制御部８０に入力されると、演算部８２は、信号処理部５０から信号処理済みの画像データを、順次、演算用画像として取り込む（Ｓ１０１）。
【００４３】
演算部８２は、取得した演算用画像に、順次、高域通過フィルタ（ハイパスフィルタ）を掛けて、高周波数の信号を算出する（Ｓ１０２）。
撮影画像において、感度ムラに起因する画像ムラは、被写体像には存在しない撮影画像上の変位であり、画像位置（被写体像）に依存しないため、位置情報を除いた、高周波成分のみが画像ムラとなる。
【００４４】
ハイパスフィルタの遮断周波数には、特に限定はなく、求められる感度ムラ補正の構成等に応じて、適宜、決定すればよい。
【００４５】
次に、演算部８２は、演算用画像にハイパスフィルタを掛けて得られたデータの１画素毎に逆数を取る（Ｓ１０３）。演算用画像にハイパスフィルタを掛けて得られたデータの逆数（以下、「仮補正データ」という）は、基本的に、感度ムラの情報が反映されたデータであり、感度ムラの補正用のパラメータとして用いることができるものである。
【００４６】
ここで、演算部８２は、演算用画像から得られた仮補正データ（感度ムラの補正用のパラメータ）の規格化を行なう（Ｓ１０５）。
演算部８２は、まず、取得した演算用画像にローパスフィルタを掛けて、画像の局所平均を求める（Ｓ１０４）。次に、ローパスフィルタを掛けて得られたデータと、演算用画像から得られた仮補正データとを乗算等の演算を行なうことにより、規格化した仮補正データが得られる。
仮補正データ（感度ムラの補正用のデータ）を規格化することにより、演算用画像に取り込まれている被写体の明るさの影響を低減することができ、スコープ部の出力特性を適正に反映した感度ムラ補正用のデータを得ることができる。
【００４７】
なお、規格化の方法は、ローパスフィルタを用いる方法に限定はされず、例えば、テーブルを用いる方法等、種々の公知の規格化の方法を用いることができる。
【００４８】
次に、演算部８２は、規格化した仮補正データに再帰形フィルタを掛ける（Ｓ１０６）。すなわち、演算部８２は、直前にメモリ５４に記憶されている感度ムラ補正パラメータと、規格化した仮補正データとを重み付けして加算する。これにより、新たな感度ムラ補正パラメータが得られる。一例として、各画素ごとに、直前の感度ムラ補正パラメータを０．９倍した値と、規格化した仮補正データを０．１倍した値とを加算した値を新たな感度ムラ補正パラメータとする。
規格化した仮補正データに再帰形フィルタを掛けることにより、演算用画像に取り込まれている被写体の構造の影響を低減することができ、スコープ部の出力特性を適正に反映した感度ムラ補正用のデータを得ることができる。
【００４９】
なお、再帰形フィルタを掛ける際に、感度ムラ補正パラメータの初期値として用いるデータは、出荷時のデータであってもよいし、前回の動作終了時の感度ムラ補正パラメータを記憶しておき、これを用いてもよい。あるいは、メンテナンス等の所定のタイミングで初期値として用いるデータを更新してもよい。
【００５０】
演算部８２は、生成した感度ムラ補正パラメータをメモリ５４に供給する（Ｓ１０７）。
【００５１】
新しい補正パラメータがメモリ５４に記憶されると、これ以降は、新しい補正パラメータを用いて処理された画像が、表示装置４２に表示されるように、制御部８０が、画像補正手段６２を制御する。
すなわち、新しい補正パラメータがメモリ５４に記憶されると、画像補正部５２は、制御部８０の指示に応じて、撮像素子４８が撮影した（信号処理部５０から供給される）画像データに対して、新しい補正パラメータを用いて、所定の画像補正を行ない、画像補正済みの画像を画像処理部８４に供給する。
【００５２】
内視鏡システム１０は、以上説明した、感度ムラ補正パラメータの更新を、内視鏡の挿入中、撮影を行なっている間、入力装置４０から、感度ムラ補正パラメータの更新の停止の指示がされるまで、常時行なう。すなわち、例えば、６０枚／秒のフレームレートで撮影を行なっている場合には、１秒間に６０回、感度ムラ補正パラメータを更新する。
【００５３】
前述のように、内視鏡の較正、すなわち感度ムラ補正等に用いられる補正パラメータの再算出は、白い被写体（全面的に均一濃度の被写体）等を撮影して、その画像（補正用画像）を解析することによって行われる。
これに対して、本発明においては、常時もしくは、内視鏡の挿入中、撮影を行なっている間に、撮影された画像を、順次、取得して演算用画像として、画像補正部５２での感度ムラ補正に用いる補正パラメータを演算し、メモリ５４に記憶される感度ムラ補正パラメータを、常に更新し続けることにより、較正のための白い被写体の撮影や、演算時間中の待機など、使用者の負担、内視鏡を使用するための工程数を減らすことができ、内視鏡の較正にかかる手間を大幅に省くことを可能にする。また、常に、最新の感度ムラ補正パラメータを用いて撮影画像の補正を行なうことができるので、適正な診断画像を撮影することができる。
【００５４】
ここで、図示例においては、入力装置４０からの指示により、感度ムラ補正パラメータの更新を行なう構成としたが、本発明は、これに限定はされず、撮影を開始したら自動的に感度ムラ補正パラメータの更新を開始するようにしてもよい。
【００５５】
また、図示例においては、演算部８２は、撮像素子４８が撮影した画像を、順次、演算用画像として取得し、感度ムラ補正パラメータを更新する構成としたが、本発明は、これに限定はされず、所定枚数おきに画像を取得する構成としてもよい。例えば、撮影画像の３枚おきに画像を取得する構成とした場合で、フレームレートが６０枚／秒の場合には、１秒間に２０回、感度ムラ補正パラメータを更新する。
【００５６】
また、図示例においては、内視鏡１２のビデオコネクタ部２８のコネクタ２８ａと、プロセッサ装置１６の接続部１６ａとを接続することで、内視鏡１２に駆動電力を供給し、また、画像データや補正パラメータの通信を行なったが、本発明は、これに限定はされず、無線通信で行なうようにしてもよい。
【００５７】
また、図示例の内視鏡システム１０は、内視鏡１２のビデオコネクタ部２８が、補正パラメータを記憶するメモリ５４および画像補正を行なう画像補正部５２を有しているが、本発明は、これに限定はされない。
例えば、メモリ５４および画像補正部５２を、プロセッサ装置１６が有してもよい。なお、この際に、プロセッサ装置１６が複数台の内視鏡１２に対応する場合には、メモリ５４には、対応する全内視鏡分の補正パラメータが記憶されており、例えば、識別情報の送受信等により、対応となる内視鏡１２が知見される。
あるいは、画像補正部５２をプロセッサ装置１６が有し、メモリ５４をビデオコネクタ部２８が有してもよい。
また、画像補正部５２およびメモリ５４を、スコープ部３４が有してもよい。
なお、識別情報の送受信等が不要である点で、メモリ５４は、内視鏡１２に設けるのが好ましい。
【００５８】
以上、本発明の内視鏡システムおよび内視鏡の較正方法について説明したが、本発明は、上記実施例に限定はされず、本発明を逸脱しない範囲において、各種の改良や変更を行なってもよいのは、もちろんである。
【産業上の利用可能性】
【００５９】
内視鏡を利用する医療現場等で、好適に利用可能である。
【符号の説明】
【００６０】
１０    内視鏡システム
１２    内視鏡
１６    プロセッサ装置
１６ａ、３８ａ  接続部
１８    挿入部
２０    操作部
２４    ユニバーサルコード
２６、２８ａ  コネクタ
２８    ビデオコネクタ部
３０    軟性部
３２    湾曲部
３４    スコープ部
３８    光源装置
４０    入力装置
４２    表示装置
４６    撮像レンズ
４８    撮像素子
５０    信号処理部
５２    画像補正部
５２ａ  感度ムラ補正部
５４    メモリ
５６    照明用レンズ
５８    光ファイバ
６２    画像補正手段
８０    制御部
８２    演算部
８４    画像処理部
【図１】
2012075545.tif 000003
【図２】
2012075545.tif 000004
【図３】
2012075545.tif 000005
【図４】
2012075545.tif 000006